(57)【要約】  石油系燃料の燃費を飛躍的に向上させることのできる燃料供給方法と回路を提供する。石油系燃料、たとえばガソリン、軽油、重油等を用いる燃料の供給方法において、燃焼室側からの余剰のリターン燃料を燃料タンク側へ戻すリターン配管に一又は複数個の流量調整弁を設置する。燃焼運転の期間中、一部又は全部の流量調整弁によりリターン配管を閉鎖又は一定の開度に絞ってリターン配管の背圧を高めた状態で供給配管から燃料を燃料噴射ノズルに供給する。リターン背圧により燃料を高圧にした状態で燃料噴射ノズルに供給するから、加熱され高温となった燃料が燃料噴射ノズルから燃焼室に直接又は気化器を介して燃料室に供給される。リターン配管からリターン燃料を直接供給配管に循環させ、サブタンク内で燃料タンクからの低温の燃料と混合させ、混合燃料を燃料噴射ノズルに供給する。
2007049370.tif 000002
【特許請求の範囲】
【請求項１】
燃料タンクからの石油系燃料を供給配管を通して燃料ポンプを介して燃料噴射ノズルへ供給し、燃料噴射ノズルからの余剰のリターン燃料をリターン配管を通して燃料タンクへ戻すようにした石油系燃料の供給方法において、リターン配管の途中に一又は複数個の流量調整弁を設置して、燃焼運転の期間中、一部又は全部の流量調整弁を閉鎖又は一定の開度に絞った状態で、供給配管からの燃料を燃料噴射ノズルに供給することを特徴とする、石油系燃料の供給方法。
【請求項２】
燃料噴射ノズルに供給した燃料は燃焼室内へ直接噴射されるか、又は燃焼室内に吸入される気化燃料を生成する気化器内へ噴射されることを特徴とする、請求項１記載の石油系燃料の供給方法。
【請求項３】
リターン配管の途中に一又は複数個の流量調整弁を設置するに当り、当該設置箇所の一部又は全部において、流量調整弁を回避させるバイパス路を設け、流量調整弁の絞り操作によりリターン配管の内圧が設定圧を超えた時に逃がし弁を作動させて、リターン燃料をバイパス路に導くことを特徴とする、請求項１又は請求項２記載の供給方法。
【請求項４】
リターン配管の途中と供給配管との間を循環配管で接続し、リターン配管を流れるリターン燃料の全部又は一部を循環配管を通して供給配管に直接送ることを特徴とする、請求項１〜請求項３載の供給方法。
【請求項５】
供給配管の途中にサブタンクを設け、このサブタンクに循環配管の出口を接続して、循環配管からの加熱されたリターン燃料と燃料タンクからの燃料をサブタンク内で混合し、サブタンク内の混合燃料を燃焼室へ供給することを特徴とする、請求項１〜請求項４記載の供給方法。
【請求項６】
燃料タンクから石油系燃料を燃料ポンプを介して燃料噴射ノズルへ供給する供給配管と、燃焼噴射ノズルからの余剰のリターン燃料を燃料タンクへ戻すリターン配管とを備える燃料の供給回路において、リターン配管に一又は複数個の流量調整弁が設置されることを特徴とする、石油系燃料の供給回路。
【請求項７】
リターン配管の途中に設置された一又は複数個の流量調整弁の一部又は全部において、流量調整弁を回避させるバイパス路を設け、流量調整弁の絞り操作によりリターン配管の内圧が設定圧を超えた時に逃がし弁が作動して、リターン燃料がバイパス路に導かれることを特徴とする、請求項６記載の供給回路。
【請求項８】
流量調整弁よりも燃料噴射ノズル側のリターン配管に循環配管の入口が接続され、循環配管の出口は供給配管に接続され、リターン配管を流れるリターン燃料の全部又は一部が循環配管を通して供給配管に直接送られることを特徴とする、請求項６又は請求項７記載の供給回路。
【請求項９】
供給配管の途中にサブタンクが設けられ、サブタンクに循環配管の出口が接続されていることを特徴とする、請求項６〜請求項８記載の供給回路。
【発明の詳細な説明】
【技術分野】
【０００１】
本発明は、石油系燃料の供給方法および回路に係り、特にディーゼルエンジン等の燃焼室に供給される石油系燃料を、完全燃焼しやすい状態に改質する、石油系燃料の供給方法および回路に関する。
【背景技術】
【０００２】
たとえば自動車のガソリンエンジンにおいては、ガソリン燃料の燃焼を改善する方法として、排気ガス中に含まれる有害成分（ＣＯ、ＨＣ、ＮＯｘ）を触媒により減少させて排気する方法が一般的に行われている。【０００３】
また、燃料の燃焼効率を向上させるために、既存の燃料タンクの内部等に、金属やセラミック等からなる触媒材料を設けて、エンジンの燃焼室に供給する燃料を予め改質することも提案されている。しかし、その実用的な効果は確認されていないものが多い。【０００４】
軽油を燃料とするディーゼルエンジンにおいては、特に不完全燃焼によって生じるカーボンやＨＣの排気（黒煙）が問題となっている。しかし、燃料の性質上従来の排気ガス触媒浄化装置のみでは十分に対応することができない。特に従来の形式のエンジンについて前記問題を簡単に解消できる経済的でかつ具体的な対策は見出されていない。【０００５】
本発明者らは、先に、ディーゼルエンジン等の燃料タンクから燃焼室に供給される燃料を予め所定の温度範囲に加熱し少なくとも部分的に気化させた状態で燃焼室に供給する方法を提案した（特許文献１）。この提案によると、例えばディーゼルエンジンの場合には、燃料タンクから燃焼室に供給される軽油を、燃焼室の実質的な全燃焼期間にわたり、３０℃〜３００℃の範囲に予め加熱した状態で燃焼室に供給する。
【特許文献１】ＷＯ００／７１８８３Ａ１
【発明の開示】
【発明が解決しようとする課題】
【０００６】
しかしながら、上記の提案は、燃焼室に供給する軽油を供給配管で加熱する加熱源を必要とする。【０００７】
本発明の目的は、ガソリンエンジンやディーゼルエンジン等の燃焼室に供給される石油系燃料を、特別の加熱源を必要とすることなく、完全燃焼しやすい状態に改質してから燃焼室に供給することのできる燃料の供給方法と回路を提供することである。【０００８】
本発明の他の目的は、石油系燃料の燃費を飛躍的に向上させ、排気ガス中の有害成分を大幅に減少させることのできる燃料の供給方法および回路を提供することである。
【課題を解決するための手段】
【０００９】
本発明の目的は、燃料タンクからの石油系燃料を供給配管を通して燃料ポンプを介して燃料噴射ノズルへ供給し、燃料噴射ノズルからの余剰のリターン燃料をリターン配管を通して燃料タンクへ戻すようにした石油系燃料の供給方法において、リターン配管の途中に一又は複数個の流量調整弁を設置して、燃焼運転の期間中、一部又は全部の流量調整弁を閉鎖又は一定の開度に絞った状態で、供給配管からの燃料を燃料噴射ノズルに供給することを特徴とする、石油系燃料の供給方法によって達成される。【００１０】
また、本発明の目的は、燃料タンクから石油系燃料を燃料ポンプを介して燃料噴射ノズルへ供給する供給配管と、燃焼噴射ノズルからの余剰のリターン燃料を燃料タンクへ戻すリターン配管とを備える燃料の供給回路において、リターン配管に一又は複数個の流量調整弁が設置されることを特徴とする、石油系燃料の供給回路によって達成される。【００１１】
軽油を燃料とするディーゼルエンジンの場合は、燃料噴射ノズルへ供給された軽油燃料が燃焼室内へ直接噴射される。また、ガソリンを燃料とするガソリンエンジンの場合は、燃料噴射ノズルへ供給されたガソリン燃料が気化器（キャブレター）内へ噴射され、空気と混合されて、燃料室内へ供給される。【００１２】
燃焼に用いられなかった余剰の燃料は、燃料噴射ノズルからリターン燃料としてリターン配管に流される。このとき、燃焼運転の期間中、リターン配管内に設置した一又は複数個の流量調整弁を一部又は全部閉鎖するか、又は一定の開度に絞ることで、リターン配管内のリターン背圧が高まり、燃料噴射ノズル内の燃料が高圧になる。また、リターン背圧によってリターン燃料の流れが遅くなり、燃料噴射ノズル内の燃料が滞留し、エンジンの燃焼熱を受けて燃料噴射ノズル内の燃料が自然と高温になる。【００１３】
すなわち、リターン配管に設置した一又は複数個の流量調整弁を一部又は全部閉鎖するか、又は一定の開度に絞ることにより、燃料噴射ノズル内の燃料を例えば１００℃近くまで高温、高圧にして、燃料噴射ノズルから非常に小さい粒子（微粒子）として燃焼室又は気化器内に噴射し、短時間に燃焼させることができる。燃焼運転期間中、燃焼室内は約５００℃と非常に高温であり、１００℃近くまで高温に加熱された燃料が燃料噴射ノズルから噴射されると、燃焼室内で瞬時（１／１０００秒〜３／１０００秒）にガス化され、より完全燃焼の状態で燃焼が行われる。【００１４】
なお、ディーゼルエンジンの燃料に使用される軽油は、加熱によって揮発しやすい状態となってガス化しやすくなり、１００℃近くまで高温にした状態で燃料噴射ノズルから約５００℃の燃焼室内に噴射すると燃焼室内で瞬時にガス化され、周囲の酸素と迅速に結合して燃焼をより完全なものとする。これによって燃焼の際のガス化が不充分なために生じる不完全燃焼、これに伴う黒煙や不完全燃焼の生成物としてＣ、ＨＣ、ＣＯ等が著しく軽減され燃費も大幅に向上するものと考えられる。【００１５】
また、ディーゼルエンジンの場合は、燃料ポンプからの余剰のリターン燃料を副リターン配管を介してリターン配管に合流させるが、合流点よりも下流の流量調整弁を閉鎖するか所定の開度に保つことにより、副リターン配管内の内圧を上昇させ、燃料ポンプ内の燃料の圧力を高め、より高圧、高温の燃料を燃料噴射ノズルに供給することができる。この作用が加わることで、燃料噴射ノズル内の燃料をより一層完全燃焼しやすい状態に改質できる。【００１６】
リターン配管の途中には流量調整弁を回避させるバイパス路を設けることが望ましい。すなわち、流量調整弁の閉鎖等によりリターン配管の内圧が設定圧を超えた時に逃がし弁を作動させて、リターン燃料をバイパス路に導くようにするのが望ましい。リターン配管が接続される燃料噴射ノズルや燃料ポンプにかかる過大な圧力を逃がし、それらの破損を防ぐことができる。【００１７】
たとえばコモンレール形式のディーゼルエンジンの場合、燃料ポンプで燃料を相当程度の高圧（例えば約１８００気圧）で燃焼室に圧送する。このとき流量調整弁を閉じ過ぎると、副リターン配管を流れるリターン燃料の管内圧力が急上昇し、燃料ポンプに過大な負荷が作用するおそれがある。そこで、上記のバイパス路および逃がし弁を設けることにより、燃料ポンプに過大な負担が作用して燃料ポンプが破損する事態を防ぐことができる。【００１８】
燃料噴射ノズルからリターン配管に戻されるリターン燃料（ディーゼルエンジンの場合は、断熱圧縮、摩擦熱等で加熱された燃料ポンプからのリターン燃料を含む）は、上記した２つの作用によって高温に加熱されており、高温のリターン燃料を供給配管に直接送ることが望ましい。【００１９】
かかる観点から、リターン配管の途中と供給配管との間を循環配管で接続することが望ましい。これにより、特別の加熱源を必要とすることなく、高温のリターン燃料を循環配管から供給配管に直接送ることができる。【００２０】
供給配管の途中にサブタンクを設け、このサブタンクに循環配管の出口を接続して、循環配管からの高温のリターン燃料と燃料タンクからの低温の燃料をサブタンク内で十分混合できる。サブタンク内で十分に混合した燃料を高温の燃料として、燃料噴射ノズルに供給できる。【００２１】
本発明はガソリン燃料を用いるガソリンエンジンに適用することができる。ガソリンの初留点は約２９．０℃であり、５０℃では約１０％、９０℃では約５０％が気化する。実験によれば基準温度としての３０℃ですでに明らかな改善効果が認められ、一方約９０℃に加熱しても実験によってエンジンの安全な燃焼が確認されたので本発明では前記ガソリンの加熱温度範囲を３０℃〜９０℃とした。但し本発明の方法は前記上限の９０℃を超える温度についても適用できる。【００２２】
ディーゼルエンジンの場合と同様、燃料噴射ノズル内の燃料を高圧、高温にした状態で気化器内に噴射し、空気と十分に混合して燃焼室内に供給し、点火プラグの火花による気化燃料の着火により、より完全燃焼の状態で燃焼させることができる。【００２３】
灯油もしくは重油を燃料とするボイラ燃焼装置等においては、流量調整弁を閉鎖又は所定の開度に保つことにより、リターン配管の内圧を高め、燃料噴射ノズル内の燃料を高圧、高温にした状態で、燃焼室に供給する。燃焼室の概念にはバーナも含まれる。なお、重油類の場合は、３０℃以上に加熱することで、燃料を流動化させることができるが、流動化温度よりもはるかに高い温度を用いるのが望ましい。
【発明の効果】
【００２４】
本発明によると、リターン配管の途中に一又は複数個の流量調整弁を設置して、燃焼運転の期間中、一部又は全部の流量調整弁を閉鎖又は一定の開度に絞った状態で、供給配管からの燃料を燃料噴射ノズルに供給するから、ガソリンエンジンやディーゼルエンジン等の燃焼室に供給される石油系燃料を、特別の加熱源を必要とすることなく、完全燃焼しやすい状態に改質してから燃焼室に供給することができる効果を奏する。
【図面の簡単な説明】
【００２５】
【図１】図１は本発明の実施形態を示すもので、本発明をディーゼルエンジン車に適用する際の燃料の供給回路を示す説明図である。
【図２】図２は本発明の他の実施形態を示すもので、本発明をディーゼルエンジン車に適用する際の燃料の供給回路を示す説明図である。
【図３】図３は図２の供給回路において、複数個の流量調整弁を設置する場合を示す説明図である。
【図４】図４は従来一般のディーゼルエンジンの燃料供給回路を示す説明図である。
【符号の説明】
【００２６】
１    燃料タンク
２    供給配管
３    フィルタ
４    燃料ポンプ
５    燃料噴射ノズル
６    燃焼室
７    リターン配管
８    合流口
９    副リターン配管
１０、１９、２０、２１  流量調整弁
１１  バイパス路
１２  逃がし弁
１３  ピストン
１４、１５  温度計
１６  分岐口
１７  循環配管
１８  サブタンク  
【発明を実施するための最良の形態】
【００２７】
以下、本発明の実施形態について説明する。
図１に示すように、通常のディーゼルエンジンの燃料供給回路は、例えば自動車の燃料タンク近傍ゾーンに位置する、燃料タンク１から自動車のエンジン近傍ゾーンに引き回された供給配管２によって、自動車のエンジン近傍ゾーンに位置するフィルタ３、燃料ポンプ４を経て、燃焼室６に取り付けられた燃料噴射ノズル５に接続されている。燃料噴射ノズル５からは燃焼に用いられなかった余剰のリターン燃料を自動車の燃料タンク近傍の燃料タンク１側に戻すリターン配管７が延びている。燃料ポンプ４からも燃料噴射ノズル５に供給されなかった余剰のリターン燃料を合流口８からリターン配管７に合流させる副リターン配管９が延びている。【００２８】
本発明の図示の例では、自動車のエンジン近傍ゾーンにおいて、副リターン配管９よりも燃料タンク１側のリターン配管７に一の流量調整弁１０が設置されている。流量調整弁１０は、管体内の弁体により管体内を０〜１００％の開度に設定することができるもので、管体内を閉鎖する（１００％閉じる）又は一定の開度に絞る（例えば５０％だけ閉じる）ことで、燃焼室６側のリターン配管７内の内圧を上げ、リターン背圧により燃料噴射ノズル５内の燃料圧力を上げることができる。また、副リターン配管９内の内圧を上げ、リターン背圧により燃料ポンプ４内の燃料圧力（燃料供給圧力）を上げることができる。流量調整弁１０の構造としては、ニードル弁、バタフライ弁、グローブ弁などがある。【００２９】
リターン配管７の、流量調整弁１０の上流側（燃料噴射ポンプ５側）から下流側（燃料タンク１側）にかけてバイパス路１１が設けられている。バイパス路１１の入口は流量調整弁１０と副リターン９の合流口８の間のリターン配管に、バイパス路１１の出口は流量調整弁１０と燃料タンク１の間のリターン配管に、それぞれ接続されている。バイパス路１１の途中には逃がし弁１２が設けられている。逃がし弁１２は、流量調整弁１０を一定の開度に絞り操作し、リターン配管７の燃料室６側に設定値を超える圧力が生じたときに自動的に作動して、リターン配管７を流れる燃料を流量調整弁１０の手前でバイパス路１１に導き、流量調整弁１０を回避させ、再びリターン配管７に戻すようになっている。【００３０】
なお、符号１３は燃料室６内を上下動するピストン、符号１４は燃料タンク１内の燃料温度を測定する温度計、符号１５は燃料噴射ノズル５内の燃料温度を近似的に測定するため燃料噴射ノズル５の出口配管の出口付近に設置された温度計である。【００３１】
図２は本発明の他の実施形態を示すもので、図１に示す部材と同一部材には同一符号を付してその説明は省略する。【００３２】
図２に示す燃料の供給回路は、自動車のエンジン近傍ゾーンにおいて、副リターン配管９の合流口８と流量調整弁１０との間のリターン配管７の分岐口１６に循環配管１７の入口が接続されている。この循環配管１７の出口は、供給配管２の途中（フィルタ３と燃料ポンプ４の間）に設けられたサブタンク１８（サブタンク１８は自動車のエンジン近傍ゾーンに位置する）に接続されている。分岐口１６の燃料タンク１側に位置する流量調整弁１０を閉鎖する又は一定の開度に絞ることで、リターン配管７を流れる高温のリターン燃料の全部又は一部を分岐口１６から循環配管１７に導き、サブタンク１８内で燃料タンク１からの低温の燃料と十分に混合することができる。サブタンク１８内で混合された高温の燃料は燃料ポンプ４を介して燃料噴射ノズル５に供給される。【００３３】
リターン配管７内を流れるリターン燃料の大部分を循環配管１７に導き、供給配管２とリターン配管７との間で循環させることにより、常に高温の燃料を燃料噴射ノズル５に供給することができる。また、リターン燃料が消費される分だけ、燃料タンク１からの低温燃料の供給は少なくなり、その結果供給配管２を流れる燃料の流速は低下するので、燃料の配管摩擦抵抗を小さくして、燃料噴射ポンプ５にスムーズに供給することができる。【００３４】
循環配管１７およびサブタンク１８をフィルタ３よりも燃料ポンプ４寄りに設置したのは、リターン配管７を流れるリターン燃料は一度フィルタ３を通っているから、再度フィルタ３を通す必要がないからである。また、高温のリターン燃料でフィルタ３が傷む恐れをなくすためである。【００３５】
図３に示す供給回路は、複数個の流量調整弁をリターン配管７を含む配管系統に設置した例を示す。図３に示すように、リターン配管７の、分岐口１６よりも燃料タンク１側に流量調整弁１０が設置され、副リターン配管９の合流口８と燃料噴射ノズル５との間に流量調整弁１９が設置されている。また、循環配管１７の途中に流量調整弁２０が設置され、副リターン配管９の途中に流量調整弁２１が設置されている。これらの各流量調整弁１０、１９、２０、２１は一部又は全部を閉鎖する又は一定の開度に絞るなど、任意に組合せて使用することができる。なお、各流量調整弁１０、１９、２０、２１にはそれぞれ図１に示すバイパス路１１および逃がし弁１２を設ける。【００３６】
例えば、第１のモードとして、流量調整弁１０のみを閉鎖（１００％閉じる）して、リターン配管７と供給配管２との間でリターン燃料の全部を循環させることができる。第２のモードとして、流量調整弁１０、１９を閉鎖して、燃料ポンプ４からのリターン燃料のみを循環させることができる。第３のモードとして、流量調整弁１０、２０を閉鎖して、燃料噴射ノズル５からのリターン燃料のみを循環させることができる。さらに、第４のモードとして、全ての流量調整弁１０、１９、２０、２１を閉鎖して、リターン燃料のリターンを無くし、燃料噴射ノズル５内の燃料圧力、燃料温度を飛躍的に高めることもできる。これらの流量調整弁は、適用するエンジンの形式、諸性能に応じて、開度を適宜に調整する（例えば５０％だけ閉じる、１０％だけ閉じるなど）ことも可能である。
【実施例１】
【００３７】
図１に示す本発明の燃料供給回路を採用した２５００ｃｃのディーゼルエンジンを積んだ自動車を一般走行させ、１リットルあたりの走行距離を測定して、燃費を計算した。対照区の燃料温度が３０℃、燃費が７ｋｍ／リットルであったのに対し、図１の流量調整弁１０を５０％閉じた場合の燃料温度は５０℃、燃費は９ｋｍ／リットルで、燃費の伸び率が対照区を基準として２９％であった。また、図１の流量調整弁１０を閉鎖（１００％閉じる）した場合の燃料温度は６７℃、燃費は１１ｋｍ／リットルで、燃費の伸び率は対照区を基準として５７％であった。いずれの場合も、従来例（対照区）に比較して大幅に燃費が向上することを確認できた。なお、対照区は同じ２５００ｃｃのディーゼルエンジンを積んだ自動車で、図４に示す一般の回路を採用したものである。燃料温度は燃料噴射ノズル内の温度を示す。
【実施例２】
【００３８】
図２に示す本発明の燃料供給回路を採用した２５００ｃｃのディーゼルエンジンを積んだ自動車を一般走行させ、１リットルあたりの走行距離を測定して、燃費を計算した。対照区の燃料温度が３０℃、燃費が７ｋｍ／リットルであったのに対し、図２の燃料調整弁を５０％閉じて、リターン燃料の半分をサブタンク１８に送り、燃料タンク１からの燃料との混合燃料を燃料噴射ノズル５に供給した場合の、燃料温度は６０℃、燃費は１０ｋｍ／リットルで、燃費の伸び率が対照区を基準として４２％であった。また、図２の流量調整弁１０を閉鎖（１００％閉じる）して、リターン燃料の全部をサブタンク１８に送り、燃料タンク１からの燃料との混合燃料を燃料噴射ノズル５に供給した場合の、燃料温度は６７℃、燃費は１２ｋｍ／リットルで、燃費の伸び率は対照区を基準として７１％であった。いずれの場合も、従来例（対照区）に比較して大幅に燃費が向上することを確認できた。なお、対照区は同じ２５００ｃｃのディーゼルエンジンを積んだ自動車で、図４に示す一般の回路を採用したものである。燃料温度は燃料噴射ノズル内の温度を示す。【００３９】
前記の結果から明らかなように、軽油を燃料とする自動車のエンジン等における燃焼が改善されて燃費が著しく向上した。また本発明では単に既存のエンジンのリターン配管に流量調整弁１０、循環配管１７、サブタンク１８などを取付けるだけでよく何等大幅な改造等を必要としない。【００４０】
以上、本発明について夫々の好適な実施形態を説明したが、各構成要素の形状や取り付け位置等は図面に記載したものに限定されず、本発明の趣旨を逸脱しない範囲で適宜な設計変更が可能である。
【産業上の利用可能性】
【００４１】
石油系燃料自体の改質により燃焼効率が改善されてより完全な燃焼が実現可能である。燃焼装置の運転に何等危険や支障を生じることなく燃費が著しく向上する。石油系燃料としてはガソリン、軽油（灯油、ジェット燃料）、重油等に適用可能であり、広い意味での化石燃料であるＬＰＧにも利用される。
【図１】
2007049370.tif 000003
【図２】
2007049370.tif 000004
【図３】
2007049370.tif 000005
【図４】
2007049370.tif 000006
【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
燃料タンクからのディーゼルエンジン用の石油系燃料を供給配管を通して燃料ポンプを介して燃料噴射ノズルへ供給し、燃料噴射ノズルからの余剰のリターン燃料をリターン配管を通して燃料タンク側へ戻すようにしたディーゼルエンジン用の燃料の供給方法において、リターン配管の途中に１の流量調整弁を設置し、１の流量調整弁よりも燃料噴射ノズル側のリターン配管の途中と供給配管との間を循環配管で接続し、燃焼運転の期間中、前記１の流量調整弁を閉鎖した状態で、リターン配管を流れるリターン燃料の全部を前記循環配管を通して供給配管に直接送り、燃料タンクからの燃料との混合燃料を燃料噴射ノズルに供給することを特徴とする、石油系燃料の供給方法。
【請求項２】
（削除）
【請求項３】
リターン配管の途中に前記１の流量調整弁を設置するに当り、当該設置箇所において、１の流量調整弁を回避させるバイパス路を設け、１の流量調整弁の閉鎖操作によりリターン配管の内圧が設定圧を超えた時に逃し弁を作動させて、リターン燃料をバイパス路に導くことを特徴とする、請求項１記載の供給方法。
【請求項４】
（削除）
【請求項５】
（削除）
【請求項６】
燃料タンクからディーゼルエンジン用の石油系燃料を燃料ポンプを介して燃料噴射ノズルへ供給する供給配管と、燃焼噴射ノズルからの余剰のリターン燃料を燃料タンク側へ戻すリターン配管とを備える石油系燃料の供給回路において、リターン配管の途中に１の流量調整弁が設置され、１の流量調整弁よりも燃料噴射ノズル側のリターン配管に循環配管の入口が接続され、循環配管の出口は供給配管に接続され、燃焼運転の期間中、前記１の流量調整弁の閉鎖操作により、リターン配管を流れるリターン燃料の全部が循環配管を通して供給配管に直接送られ、同リターン燃料と燃料タンクからの燃料との混合燃料が燃料噴射ノズルに供給されるように構成されていることを特徴とする、石油系燃料の供給回路。
【請求項７】
リターン配管の途中に１の流量調整弁が設置されるに当り、当該設置箇所に、１の流量調整弁を回避させるバイパス路を設け、１の流量調整弁の閉鎖操作によりリターン配管の内圧が設定圧を超えた時に逃し弁が作動して、リターン燃料がバイパス路に導かれるように構成されていることを特徴とする、請求項６記載の供給回路。
【請求項８】
（削除）
【請求項９】
（削除）
【請求項１０】
循環配管よりも燃料噴射ノズル側のリターン配管に、燃料ポンプからの余剰のリターン燃料をリターン配管に合流させる副リターン配管の出口を接続し、燃焼運転の期間中、燃料噴射ノズルからのリターン燃料と燃料ポンプからのリターン燃料とを、循環配管を通して供給配管に直接送り、同リターン燃料と燃料タンクからの燃料との混合燃料を燃料噴射ノズルに供給することを特徴とする、請求項１記載の供給方法。
【請求項１１】
副リターン配管の途中に第２の流量調整弁を設置し、燃焼運転の期間中、前記１の流量調整弁および第２の流量調整弁のそれぞれを閉鎖した状態で、燃料噴射ノズルからのリターン燃料のみを、循環配管を通して供給配管に直接送り、同リターン燃料と燃料タンクからの燃料との混合燃料を燃料噴射ノズルに供給することを特徴とする、請求項１０記載の供給方法。
【請求項１２】
副リターン配管の合流口と燃料噴射ノズルとの間のリターン配管の途中に第３の流量調整弁を設置し、燃料運転の期間中、前記１の流量調整弁および第３の流量調整弁のそれぞれを閉鎖した状態で、燃料ポンプからのリターン燃料のみを、循環配管を通して供給配管に直接送り、同リターン燃料と燃料タンクからの燃料との混合燃料を燃料噴射ノズルに供給することを特徴とする、請求項１０記載の供給方法。
【請求項１３】
循環配管よりも燃料噴射ノズル側のリターン配管に、燃料ポンプからの余剰のリターン燃料をリターン配管に合流させる副リターン配管の出口が接続され、燃焼運転の期間中、燃料噴射ノズルからのリターン燃料と燃料ポンプからのリターン燃料とが、循環配管を通して供給配管に直接送られ、同リターン燃料と燃料タンクからの燃料との混合燃料が燃料噴射ノズルに供給されるように構成されていることを特徴とする、請求項６記載の供給回路。
【請求項１４】
副リターン配管の途中および副リターン配管の合流口と燃料噴射ノズルとの間のリターン配管の途中に、それぞれ第２、第３の流量調整弁が設置されていることを特徴とする、請求項１３記載の供給回路。
【国際調査報告】
2007049370.tif 000007
2007049370.tif 000008
2007049370.tif 000009
2007049370.tif 000010